(57)【要約】【課題】小型で安価でありながら高い性能を有するプロジェクタを提供すること。【解決手段】アドレッシング光ＡＢの走査による書込みは、最初のフレーム期間中一定周期で繰り返される。各画素の書込み状態は、同一強度のアドレッシング光ＡＢの繰り返し入射により、フレーム期間中、ほぼ一定の書込み状態に保たれる。発光ダイオード４１ａからの照明光ＣＬａを利用した読出しは、アドレッシング光ＡＢによる初回の走査が終了した後から、フレーム期間が終了するまで継続される。このように、アドレッシング光ＡＢによる２回目の走査から読出しを開始する理由は、１回目のスキャンが完了するまでは、１フレームの書込みが終了しておらず、画像が未完成であることを考慮したものである。【選択図】    図１
2004226485.tif 000002
【特許請求の範囲】
【請求項１】
アドレッシング光を書込み側に入射させた場合に、入射箇所で光学特性が変化する空間光変調装置と、
前記アドレッシング光を前記空間光変調装置の書込み側に入射させ当該空間光変調装置上でスキャンさせることによって書込みを行うアドレッシング手段と、
読出し光を前記空間光変調装置の読出し側に照射することによって読出しを行う照明手段と、
１フレームの期間中に、前記アドレッシング手段による前記空間光変調装置への書込みを複数回繰り返させる制御手段と
を備えるプロジェクタ。
【請求項２】
前記制御手段は、前記照明手段による前記空間光変調装置の読出し中に、前記空間光変調装置への同一の書込みを複数回繰り返させることを特徴とする請求項１記載のプロジェクタ。
【請求項３】
前記制御手段は、前記アドレッシング手段による書込みを、前記空間光変調装置への書込みによって形成される光学状態が元の状態に復帰する過渡特性に基づいて設定された所定時間以下で繰り返させることを特徴とする請求項１及び請求項２のいずれか一項記載のプロジェクタ。
【請求項４】
前記制御手段は、前記アドレッシング手段による書込みを前記所定時間以下の周期で繰り返させることを特徴とする請求項３記載のプロジェクタ。
【請求項５】
前記制御手段は、各色に対応する前記アドレッシング光のスキャンによる書込みと、各色に対応する前記読出し光の照射による読出しとを同期させつつ、当該各色の書込み及び読出しを時系列的に繰り返すことを特徴とする請求項１から請求項４のいずれか一項記載のプロジェクタ。
【請求項６】
前記照明手段は、前記各色に対応する複数の固体発光素子を含み、前記制御手段は、各固体発光素子の点燈及び消灯のタイミングを調節することによって読出しのタイミングを制御することを特徴とする請求項５記載のプロジェクタ。
【請求項７】
前記アドレッシング手段は、レーザ素子からなる光源と、当該光源からの前記アドレッシング光を前記空間光変調装置上で移動させるスキャンミラー及びアクチュエータをマイクロマシン技術で一体的に形成したマイクロスキャン装置とを備えることを特徴とする請求項１から請求項６のいずれか一項記載のプロジェクタ。
【発明の詳細な説明】
【０００１】
【発明の属する技術分野】
本発明は、光を用いて情報の書込みを行う光アドレス型の空間光変調装置を用いて画像表示を行うプロジェクタに関する。
【従来の技術】
光アドレス型の空間光変調装置を用いて画像を投影するプロジェクタとして、空間光変調素の書込み側にＣＲＴを対面配置し、ＣＲＴに画像を形成することによって、空間光変調装置への画像書込みを行うものが存在する（例えば、特許文献１等参照）。
【０００２】
また、同様の空間光変調装置を用いて画像を投影するプロジェクタとして、画像信号によって強度変調されたレーザ光のスポットを空間光変調装置の書込み側に走査しつつ入射させるものが存在する（特許文献２参照）。
【０００３】
【特許文献１】
特開平５−３３３３６７号公報
【特許文献２】
特開２０００−１９６８３３号公報
【発明が解決しようとする課題】
しかし、第１例のプロジェクタは、書込み用のＣＲＴを空間光変調装置に対向して設ける構造であることから、書込み用の光学系が大型化するだけでなく、コストの増大を招く。
【０００４】
また、第２例のプロジェクタは、空間光変調装置に保持性を持たせることに起因して、その応答性が低下し空間光変調装置への書込みに時間がかかり、動画表示の場合など残像が見えてしまうことになる。
【０００５】
そこで、本発明は、小型で安価でありながら高い性能を有するプロジェクタを提供することを目的とする。
【０００６】
また、本発明は、応答が速く残像が残りにくいプロジェクタを提供することを目的とする。
【０００７】
【課題を解決するための手段】
上記課題を解決するため、本発明に係るプロジェクタは、アドレッシング光を書込み側に入射させた場合に、入射箇所で光学特性が変化する空間光変調装置と、アドレッシング光を空間光変調装置の書込み側に入射させこの空間光変調装置上でスキャンさせることによって書込みを行うアドレッシング手段と、読出し光を空間光変調装置の読出し側に照射することによって読出しを行う照明手段と、１フレームの期間中に、アドレッシング手段による空間光変調装置への書込みを複数回繰り返させる制御手段とを備える。ここで、「空間光変調装置」とは、例えば光アドレッシング液晶等の光を用いて情報の書込みを行う液晶ライトバルブに代表される光デバイスであり、▲１▼アドレッシング光が入射する部分すなわちアドレッシング光により特性が変化する部分と、▲２▼読出し光が入射する部分すなわち読出し光を変調する部分を有している。なお、光を用いて情報の書込みを行うライトバルブは、空間光増幅素子と称されることもあり、このような空間光増幅素子も「空間光変調装置」に含まれる概念である。
【０００８】
上記プロジェクタでは、アドレッシング手段がアドレッシング光を空間光変調装置上でスキャンさせることによって書込みを行うので、小型の光学系で精密かつ迅速な書込みが可能になる。また、制御手段が、１フレームの期間中にアドレッシング手段による空間光変調装置への書込みを複数回繰り返させるので、空間光変調装置の保持性が小さくても、書き込んだ画像をリフレッシュしつつ維持することができる。つまり、空間光変調装置の保持性が小さな点を複数回の書込みによって補って読出し中の画像が薄れることを防止しつつ、新たな画像の書込みすなわち書換えに際しては、保持性が小さなことを利用して迅速な駆動の立ち上げ等を行うことができるので、応答が速く残像が残りにくいプロジェクタを提供することができる。
【０００９】
また、上記プロジェクタの具体的な態様では、制御手段が、照明手段による空間光変調装置の読出し中に、空間光変調装置への同一の書込みを複数回繰り返させる。この場合、読出し中の画像を複数回リフレッシュすることができ、読み出される画像の鮮明さやコントラストを確実に維持することができる。
【００１０】
また、上記プロジェクタの別の具体的な態様では、制御手段は、アドレッシング手段による書込みを、空間光変調装置への書込みによって形成される光学状態が元の状態に復帰する過渡特性に基づいて設定された所定時間以下で繰り返させる。この場合、一旦書き込んだ画像を良好な状態で維持し続けることができる。
【００１１】
また、上記プロジェクタのさらに別の具体的な態様では、制御手段が、アドレッシング手段による書込みを所定時間以下の周期で繰り返させる。この場合、簡単な制御で書き込んだ画像を安定した状態で保持し続けることができる。
【００１２】
また、上記プロジェクタのさらに別の具体的な態様では、制御手段が、各色に対応するアドレッシング光のスキャンによる書込みと、各色に対応する読出し光の照射による読出しとを同期させつつ、この各色の書込み及び読出しを時系列的に繰り返す。この場合、カラーシーケンシャル照明によって、鮮明でカラーブレークアップの少ないカラー画像を投射することができる。
【００１３】
また、上記プロジェクタのさらに別の具体的な態様では、照明手段が、各色に対応する複数の固体発光素子を含み、制御手段が、各固体発光素子の点燈及び消灯のタイミングを調節することによって読出しのタイミングを制御する。この場合、照明手段を小型にすることができるだけでなく、各色の読出し光を空間光変調装置に照射するタイミングを自在に、しかも極めて精密に調節することができる。
【００１４】
また、上記プロジェクタのさらに別の具体的な態様では、アドレッシング手段が、レーザ素子からなる光源と、この光源からのアドレッシング光を空間光変調装置上で移動させるスキャンミラー及びアクチュエータをマイクロマシン技術で一体的に形成したマイクロスキャン装置（例えばＭＥＭＳ（ＭｉｃｒｏＥｌｅｃｔｒｏＭｅｃｈａｎｉｃａｌ  Ｓｙｓｔｅｍｓ）素子）とを備える。この場合、レーザ素子からの十分な強度のアドレッシング光を、マイクロスキャン装置を用いて空間光変調装置上で迅速かつ正確に走査することができるので、空間光変調装置への繰り返し書込み回数を増やすことができる。
【００１５】
【発明の実施の形態】
〔第１実施形態〕
図１は、第１実施形態に係るプロジェクタ１０の全体構造を概念的に説明するブロック図である。このプロジェクタ１０は、空間光変調装置である光アドレッシング液晶２０と、アドレッシング手段である書込み部３０と、照明手段である照明部４０と、投射レンズ５０と、制御手段である制御装置６０とを備える。
【００１６】
図２は、図１に示す光アドレッシング液晶２０の一例を示す断面構造図である。この光アドレッシング液晶２０は、ＴＮモードの液晶であり、書き込まれた状態を短時間維持する保持性を有し、一対の平板ガラス２１、２２の間に透明電極２３、２４を介して感光体層２５とミラー層２６と液晶層２７との積層体を挟んだ構造となっている。そして、一対の透明電極２３、２４間には、駆動用の交流電圧が印加される。
【００１７】
光アドレッシング液晶２０の作製の概要は以下のようなものである。まず、一方の平板ガラス２１上に透明電極２３と感光体層２５とミラー層２６とを順次形成し、他方の平板ガラス２２上に透明電極２４を形成する。その後、両平板ガラス２１、２２をミラー層２６及び透明電極２４側を内側にして対向させた隙間に、液晶層２７を注入して封入することによって、光アドレッシング液晶２０を完成する。
【００１８】
光アドレッシング液晶２０への書込みに際しては、書込み側である平板ガラス２１の表面に図１の書込み部３０からのアドレッシング光ＡＢが入射し、アドレッシング光ＡＢの入射領域では感光体層２５が導通する。これにより、この領域の背後にある液晶層２７の対応領域に電圧が印加され、この対応領域の光学状態すなわち偏光特性が切り替わる。この際、液晶層２７や感光体層２５に一定の限られた保持性を持たせておけば、応答性を犠牲にすることなく、アドレッシング光ＡＢが通過した後も短期間だけ液晶層２７の状態すなわち偏光特性を維持することができる。光アドレッシング液晶２０からの読出しに際しては、読出し側である平板ガラス２２の表面に図１の照明部４０からの有色の照明光ＣＬが偏光された状態で入射し、ミラー層２６で反射される間に液晶層２７で偏光状態が変調され画像光ＩＬとして出射する。
【００１９】
なお、感光体層２５は、光起電力層に置き換えることができる。この場合、アドレッシング光ＡＢが光起電力層に入射することによって一定の電圧が発生し、この電圧を利用して液晶層２７の状態を変化させることができる。
【００２０】
図３は、光アドレッシング液晶２０の特性を説明するグラフである。横軸はアドレッシング光ＡＢをＯＮにした直後からの時間であり、縦軸は書き込みされた部分の画像光ＩＬの明るさを示す。この光アドレッシング液晶２０は、ノーマリーブラックのモードで動作させており、アドレッシング光ＡＢのＯＦＦ直後から明るさが徐々に減少する。
【００２１】
この場合、明るさの曲線ＤＣは、ピークの後端が長く延びる波形を有しており、書込みがＯＮ状態からＯＦＦ状態に切り替わった直後の減光の速さつまりグラフの傾きは、最初小さくその後徐々に増大するが最後に再び減少する。書込みがＯＮ状態からＯＦＦ状態に切り替わった光アドレッシング液晶２０の明るさが完全に減衰して概ね元の状態に復帰するまでの減衰時間は、光アドレッシング液晶２０の原料、サイズ、製造工程等の選択によって、例えばμｓ〜ｍｓのオーダーで適宜調節することができる。また、光アドレッシング液晶２０が元の状態に復帰するまでの波形も、材料等の選択によってある程度調節することができる。
【００２２】
光アドレッシング液晶２０の書込み時における応答性を高めるためには、液晶等の保持性を制限せざるを得ないことから、以上の減衰時間は、ある程度以上長くすることができない。一方、光アドレッシング液晶２０の減衰時間があまり短くなると、１フレームの読出し中に書き込んだ画像が保持されなくなる。そこで、本実施形態の場合、光アドレッシング液晶２０からの読出し画像の明るさが大きく減少する前に、光アドレッシング液晶２０の書込みを繰り返す。これにより、光アドレッシング液晶２０への迅速な書込みを可能にしつつも、光アドレッシング液晶２０に書き込まれた光学状態を所望の時間だけ維持し続けることができる。
【００２３】
図４は、光アドレッシング液晶２０への書込みの繰り返しを説明するグラフである。単一のスキャンでは、図３に示す曲線ＤＣのように、書込み状態がＯＮ状態からＯＦＦ状態に切り替わった直後から光アドレッシング液晶２０の画像光ＩＬの明るさが減少するが、フレーム期間ＦＩ中に亘って一定周期でアドレッシング光ＡＢのスキャンを繰り返すことにより、光アドレッシング液晶２０に書き込まれた光学状態をフレーム期間ＦＩ中ほぼ一定に維持することができる。例えばフレーム期間ＦＩ＝１６．７ｍｓ（１秒６０コマ）とし、光アドレッシング液晶２０の明るさが１／ｅとなる減衰時間ＤＴが約３ｍｓであるとすると、減衰量が大きくなる前の保持時間ＨＴが約１ｍｓとなり、フレーム期間ＦＩ中において周期ＴＲをＴＲ＝ＨＴ＝１ｍｓ以下として１６回以上の再書込みを繰り返せば出力光が安定することになる。なお、フレーム期間ＦＩ中における最後又は最後を含む数回の書込みは、次のフレーム期間ＦＩに延びる保持性のテールを形成することになるので、適宜省くことができる。
【００２４】
図１に戻って、書込み部３０は、変調されたレーザ光を発生するレーザ光源３１と、レーザ光源３１からのレーザ光を反射するスキャンミラー３２と、スキャンミラー３２の角度を調節するアクチュエータ３３と、レーザ光源３１やアクチュエータ３３を制御装置６０からの指示に基づいて適宜駆動する駆動ユニット３５とを備える。
【００２５】
ここで、レーザ光源３１については、光アドレッシング液晶２０に設けた感光体層２５のスペクトル特性を考慮して適宜発生波長が選択される。また、スキャンミラー３２は、例えば半導体基板上に薄膜作製プロセスによりアクチュエータ３３と一体的に形成されたＭＥＭＳ（ＭｉｃｒｏＥｌｅｃｔｒｏＭｅｃｈａｎｉｃａｌ  Ｓｙｓｔｅｍｓ）素子とすることができ、レーザ光源３１からのアドレッシング光ＡＢを光アドレッシング液晶２０の書込み面２０ａにおける任意の画素位置に入射させることができ、書込み光であるアドレッシング光ＡＢの高速スキャンを可能にする。なお、このアドレッシング光ＡＢは、レンズ等のビーム整形光学系（不図示）を経て収束され、光アドレッシング液晶２０の書込み面２０ａに微細スポットとして入射する。駆動ユニット３５は、レーザ光源３１の動作を制御して、アドレッシング光ＡＢの強度をＲＧＢの各色の１コマ画像（フレーム）の輝度分布に応じて変調する。この際、この駆動ユニット３５は、レーザ光源３１とアクチュエータ３３とを同期させて動作させることができ、アドレッシング光ＡＢが刻々と入射する画素位置に応じてアドレッシング光ＡＢの強度変調を行う。
【００２６】
図５は、光アドレッシング液晶２０の書込み面２０ａにおけるアドレッシング光ＡＢの具体的な走査を説明する図である。アドレッシング光ＡＢが入射する画素点ＰＰは、±Ｘ方向に高速で主走査され、±Ｙ方向に低速で副走査され、走査全体によって書込み面２０ａの全面に書込みが行われる。なお、画素点ＰＰのサイズは、アドレッシング光ＡＢのスポットサイズを調節することによって変更することができる。つまり、アドレッシング光ＡＢのスポットサイズ等に応じて解像度を変更することができる。
【００２７】
アドレッシング光ＡＢを光アドレッシング液晶２０上で走査する書込みは、既に図４等で説明したようにフレーム期間中に亘って一定周期で繰り返される。光アドレッシング液晶２０への書込み状態が大きく減衰する前までの許容時間すなわち保持時間ＨＴを例えば１ｍｓとすると、この保持時間ＨＴ＝１ｍｓを周期として再書込みを繰り返す必要がある。ここで、画像サイズを１０２４×７６８ピクセルとすると、許容時間１ｍｓ中にレーザを最低でも３８４往復させる必要がある。つまり、図１に示すスキャンミラー３２を３８４ｋＨｚで動作させることになるが、ＭＥＭＳ技術を利用し２０×２０μｍ程度のスキャンミラー３２を作製すれば、このような周波数での動作も十分可能である。なお、アドレッシング光ＡＢを走査する書込みをフレーム期間中に繰り返した場合、レーザ光源３１やアクチュエータ３３を連続駆動する必要があり、一見消費電力がかなり増加するようにも見えるが、アドレッシング光ＡＢによる走査を１フレーム期間中に繰り返さない場合にも、動作の安定性保持の観点からアクチュエータ３３を連続動作させるのが通常であり、消費電力の増加はレーザ光源３１による照射時間の増加分だけである。
【００２８】
図１において、照明部４０は、固体発光素子である３つの発光ダイオード４１ａ、４１ｂ、４１ｃと、これらの発光ダイオード４１ａ、４１ｂ、４１ｃから射出された照明光を効率よく直線偏光に変換する偏光変換素子４２と、各発光ダイオード４１ａ、４１ｂ、４１ｃを制御装置６０からの指示に基づいて適宜発光させる駆動ユニット４３とを備える。ここで、発光ダイオード４１ａ、４１ｂ、４１ｃは、ＲＧＢの各色をそれぞれ読出し光として発生する。発光ダイオード４１ａ、４１ｂ、４１ｃからの各色の照明光ＣＬａ、ＣＬｂ、ＣＬｃは、これらに内蔵し或いは外付けした光学系（不図示）を経て必要な発散角及び一様な分布とされ、偏光変換素子４２及び偏光フィルタ５２を通過して光アドレッシング液晶２０の読出し面２０ｂに均一に入射する。駆動ユニット４３は、各発光ダイオード４１ａ、４１ｂ、４１ｃの動作を制御して各照明光ＣＬａ、ＣＬｂ、ＣＬｃの発光タイミングを調節する。具体的に説明すると、駆動ユニット４３は、光アドレッシング液晶２０の書込み面２０ａに入射する書込み部３０からのアドレッシング光ＡＢと同期をとって、各発光ダイオード４１ａ、４１ｂ、４１ｃを順次時系列的に繰り返し発光させる。これにより、光アドレッシング液晶２０の読出し面２０ｂをＲＧＢの３原色でカラーシーケンシャルに照明することができる。
【００２９】
このようにカラーシーケンシャル照明された光アドレッシング液晶２０で反射され偏光フィルタ５２を通過した画像光ＩＬは、投射レンズ５０を経てスクリーンＳＣ上に投射される。このような画像光ＩＬは、アドレッシング光ＡＢの走査を利用した書込みにより、各色の画像の輝度分布に応じて変調されたものであり、スクリーンＳＣ上には、ＲＧＢの３原色が合成されたカラー画像が形成される。
【００３０】
制御装置６０は、プロジェクタ１０の動作を統括的に制御するための制御手段であり、外部から入力されるビデオ信号を適当に加工して、駆動ユニット３５、４３に適当な制御信号を与え、読出しや書込みのタイミング等を制御して、スクリーンＳＣにビデオ信号や各種デジタル画像信号に対応する動画等の多様な表示を行わせる。
【００３１】
図６は、図１のプロジェクタ１０の動作を説明するものであり、制御装置６０に制御された光アドレッシング液晶２０の書込み及び読出しを説明するタイミングチャートである。図６（ａ）は、アドレッシング光ＡＢによる第１画素（走査の開始点）の書込みのタイミングを示し、図６（ｂ）は、上記第１画素の書込み状態すなわち光学状態の保持を示し、図６（ｃ）は、照明光ＣＬを利用した読出しのタイミングを示す。
【００３２】
図６（ａ）に示すように、アドレッシング光ＡＢの走査による書込みは、最初のフレーム期間ＦＩ（この場合Ｒ色の１コマ分の画像に割り当てられた時間）中一定周期で繰り返される。同様に、次のフレーム期間ＦＩ（Ｇ色の１コマ分の画像に割り当てられた時間）中も、アドレッシング光ＡＢによる書込みが一定周期で繰り返される。
【００３３】
図６（ｂ）に示すように、第１画素の書込み状態は、同一強度のアドレッシング光ＡＢの繰り返し入射により、フレーム期間中、ほぼ一定の書込み状態ＲＳ１に保たれる。フレーム期間の最後は、次のフレーム期間ＦＩ（Ｇ）に延びる保持性のテールによる影響を緩和するため書込みを停止する。
【００３４】
図６（ｃ）に示すように、Ｒ光の照明、すなわち発光ダイオード４１ａからの照明光ＣＬａを利用した読出しは、アドレッシング光ＡＢによる初回の走査が終了した後から、フレーム期間ＦＩが終了するまで継続される。このように、アドレッシング光ＡＢによる第１回目の走査終了後から読出しを開始する理由は、１回目のスキャンが完了するまでは、１フレームの書込みが終了しておらず、画像が未完成であることを考慮したものである。なお、本実施例では、光アドレッシング液晶２０の保持性を適度に低くしてあるので、再書込みを繰り返す周期ＴＲを短くすることになり、初回の走査が終了するまで照明しなくても、時間開口率を大きくとることができ、明るい画像を得ることができる。例えば光アドレッシング液晶２０への再書込みを繰り返す周期をＴＲ＝１ｍｓとし、フレーム期間ＦＩ＝１６．７ｍｓとすると、時間開口率は９４％程度となり、極めて明るい画像となることが分かる。
【００３５】
なお、タイムチャートでは詳細を省略しているが、以上のような書込み及び読出しは、色Ｒだけ出なく、色Ｇ及びＢについても同様に行われ、各色ごとに明るい画像がスクリーンＳＣに投射される。
【００３６】
〔第２実施形態〕
以下、第２実施形態に係るプロジェクタについて説明する。第２実施形態のプロジェクタは、第１実施形態の一部を変更したものである。この場合、図１の発光ダイオード４１ａ、４１ｂ、４１ｃや駆動ユニット４３に代えて、カラーホイールを用いる。
【００３７】
図７は、第２実施形態のプロジェクタに組み込まれる照明部１４０の構成を説明するブロック図である。この照明部１４０は、照明光を発生するランプ等の白色光源１４５と、この白色光源１４５からの光を時系列的に色分割した照明光ＣＬとして射出させるカラーホイール１４６と、このカラーホイール１４６を図１に示す制御装置６０からの指示に基づいて適宜回転させる駆動ユニット１４３とを含む。
【００３８】
図８は、カラーホイール１４６の構造を説明する平面図である。図からも明らかなように、カラーホイール１４６には、ＲＧＢの３色に対応する３つのフィルタ領域１４６ａ、１４６ｂ、１４６ｃが形成されている。これらのフィルタ領域１４６ａ、１４６ｂ、１４６ｃの間には、ＮＤフィルタ等の遮光体、又は反射ミラー等からなる３つの同一形状の遮光部分１４６ｄが形成されている。
【００３９】
カラーホイール１４６の各部は、白色光源１４５の正面を順次通過する。このカラーホイール１４６において、フィルタ領域１４６ａは、図１に示す発光ダイオード４１ａからのＲ色の照明光ＣＬａに対応し、フィルタ領域１４６ｂは、発光ダイオード４１ｂからのＧ色の照明光ＣＬｂに対応し、フィルタ領域１４６ｂは、発光ダイオード４１ｂからのＢ色の照明光ＣＬｃに対応する。カラーホイール１４６を通過した各色の照明光ＣＬは、偏光変換素子４２を経て特定の直線編光に変換され、ビーム整形光学系を経て、偏光フィルタ５２及び光アドレッシング液晶２０の読出し面２０ｂに均一に入射する。なお、カラーホイール１４６の遮光部分１４６ｄは、図６（ｃ）に示すように、フレーム期間中の初期に照明又は読出しを行わないＯＦＦ状態に対応し、フレーム期間中に複数回繰り返される走査のうち初回の走査時間と一致している。
【００４０】
以上実施形態に即して本発明を説明したが、本発明は上記実施形態に限定されるものではない。例えば、書込み部３０は、レーザ光源３１に限らず、ＬＥＤ光源等とすることができ、スキャンミラー３２及びアクチュエータ３３もポリゴンミラー等に変更することができる。
【００４１】
書込み部３０に設けたレーザ光源３１は、ＬＥＤ光源等の他の光源に置き換えることもできる。
【図面の簡単な説明】
【図１】第１実施形態に係るプロジェクタを説明するブロック図である。
【図２】液晶の一例の断面構造を説明する図である。
【図３】液晶の特性を説明するグラフである。
【図４】液晶への画像書込みの繰り返しを説明するグラフである。
【図５】アドレッシング光の具体的な走査を説明する図である。
【図６】（ａ）〜（ｃ）はプロジェクタの動作を説明する図である。
【図７】第２実施形態のプロジェクタを説明するブロック図である。
【図８】カラーホイールの構造を説明する平面図である。
【符号の説明】
１０  プロジェクタ
２０  光アドレッシング液晶
２３，２４  透明電極
２５  感光体層
２６  ミラー層
２７  液晶層
３０  書込み部
３１  レーザ光源
３２  スキャンミラー
３３  アクチュエータ
４０  照明部
４１ａ，４１ｂ，４１ｃ  発光ダイオード
５０  投射レンズ
６０  制御装置
１４０  照明部
１４５  白色光源
１４６  カラーホイール
ＣＬａ，ＣＬｂ，ＣＬｃ  照明光
ＳＣ  スクリーン
【図１】
2004226485.tif 000003
【図２】
2004226485.tif 000004
【図３】
2004226485.tif 000005
【図４】
2004226485.tif 000006
【図５】
2004226485.tif 000007
【図６】
2004226485.tif 000008
【図７】
2004226485.tif 000009
【図８】
2004226485.tif 000010